(57)【要約】【課題】ＵＢＳケーブルによってプリンタに接続可能なＵＳＢ端子を有する光ディスク装置において、光ディスクに記録されている動画情報から静止画情報を生成してディスクケースのレーベルを作成することを可能とする。【解決手段】メイン制御部０は、ディスクレーベルの編集印刷実行時、リモコン５１によりＤＶＤ２００またはハードディスク３００に記録した動画情報から印刷対象の静止画情報が選択されると、選択された静止画情報をメモリ部７２から読み出したテンプレートに当てはめた画像を表示装置６９に表示し、リモコン５１により印刷指示が入力されると、表示装置６９に表示されているテンプレートの画像を印刷情報として、ＵＳＢインターフェイス７１及びＵＳＢケーブル９１を通じてプリンタ４００に出力する。【選択図】図１
2008181606.tif 000002
【特許請求の範囲】
【請求項１】
ＵＳＢケーブルによってプリンタに接続するＵＳＢ端子を有し、光ディスクに記録した情報を前記プリンタに出力して印刷する機能を備えた光ディスク装置において、
前記光ディスクを収納する収納ケースに装填されるディスクレーベルのテンプレートを予め記憶している記憶手段と、
ユーザによる各種操作信号を入力する入力手段と、
印刷実行時の各種編集画面を表示する表示手段と、
前記入力手段により前記ディスクレーベルの編集指示が入力されたとき、ディスクレーベルの編集及び印刷を実行する制御手段と、
前記光ディスクに記録した動画情報の再生時に、ユーザが前記入力手段によって所望する１または複数の箇所にマークを付与することにより、印刷対象となる１または複数の静止画情報を選択する選択手段とを備え、
前記テンプレートが、前記収納ケースの表面側に装填されるディスクレーベルに対応した第１のテンプレートと、前記収納ケースの裏面側に装填されるディスクレーベルに対応した第２のテンプレートとからなり、
前記制御手段は、前記選択手段によって選択された全ての静止画情報と前記記憶手段から読み出した第１及び第２のテンプレートとを前記表示画面に表示し、その表示画面上で、前記入力手段により前記第１のテンプレートに当てはめる任意の静止画情報が選択されると、その選択された静止画情報を前記第１のテンプレートに当てはめた画像を表示し、前記入力手段により前記第２のテンプレートに当てはめる任意の静止画情報が選択されると、その選択された静止画情報を前記第２のテンプレートに当てはめた画像を表示し、前記入力手段により印刷指示が入力されると、前記表示手段に表示された各テンプレートに当てはめられている画像を印刷情報として前記プリンタに出力することを特徴とする光ディスク装置。
【請求項２】
通信ケーブルによってプリンタに接続する接続端子を有し、光ディスクに記録した情報を前記プリンタに出力して印刷する機能を備えた光ディスク装置において、
前記光ディスクを収納する収納ケースに装填されるディスクレーベルのテンプレートを予め記憶している記憶手段と、
ユーザによる各種操作信号を入力する入力手段と、
印刷実行時の各種編集画面を表示する表示手段と、
前記入力手段により前記ディスクレーベルの編集指示が入力されたとき、ディスクレーベルの編集及び印刷を実行する制御手段とを備え、
前記制御手段は、ディスクレーベルの編集印刷実行時、前記入力手段により前記光ディスクに記録した動画情報から印刷対象の静止画情報が選択されると、選択された静止画情報を前記記憶手段から読み出したテンプレートに当てはめた画像を前記表示手段に表示し、前記入力手段により印刷指示が入力されると、前記表示手段に表示されているテンプレートの画像を印刷情報として前記プリンタに出力することを特徴とする光ディスク装置。
【請求項３】
通信ケーブルによってプリンタに接続する接続端子を有し、光ディスクに記録した情報を前記プリンタに出力して印刷する機能を備えた光ディスク装置において、
前記光ディスクを収納する収納ケースに装填されるディスクレーベルのテンプレートを予め記憶している記憶手段と、
ユーザによる各種操作信号を入力する入力手段と、
印刷実行時の各種編集画面を表示する表示手段と、
前記入力手段により前記ディスクレーベルの編集指示が入力されたとき、ディスクレーベルの編集及び印刷を実行する制御手段と、
前記光ディスクに記録した動画情報の再生時に、ユーザが前記入力手段によって所望する１または複数の箇所にマークを付与することにより、印刷対象となる１または複数の静止画情報を選択する選択手段とを備え、
前記制御手段は、ディスクレーベル編集印刷実行時、前記選択手段によって印刷対象となる１または複数の静止画情報が選択されると、選択された全ての静止画情報を前記表示手段に表示し、前記入力手段によってその中から任意の静止画情報が選択されると、その選択された静止画情報を前記記憶手段から読み出したテンプレートに当てはめた画像を前記表示手段に表示し、前記入力手段によって印刷指示が入力されると、前記表示手段に表示されているテンプレートの画像を印刷情報として前記プリンタに出力することを特徴とする光ディスク装置。
【請求項４】
前記テンプレートが、前記収納ケースの表面側に装填されるディスクレーベルに対応した第１のテンプレートと、前記収納ケースの裏面側に装填されるディスクレーベルに対応した第２のテンプレートとからなり、
前記制御手段は、前記選択手段によって選択された全ての静止画情報と前記記憶手段から読み出した第１及び第２のテンプレートとを前記表示手段に表示し、その表示画面上で、前記入力手段により前記第１のテンプレートに当てはめる任意の静止画情報が選択されると、その選択された静止画情報を前記第１のテンプレートに当てはめた画像を表示し、前記入力手段により前記第２のテンプレートに当てはめる任意の静止画情報が選択されると、その選択された静止画情報を前記第２のテンプレートに当てはめた画像を表示し、前記入力手段により印刷指示が入力されると、前記表示手段に表示された各テンプレートに当てはめられている画像を印刷情報として前記プリンタに出力することを特徴とする請求項３に記載の光ディスク装置。
【請求項５】
前記テンプレートには、前記入力手段より文字情報の入力が可能に設けられており、前記制御手段は、入力された文字情報を前記静止画情報の上の所定の位置に重ねて表示、及び／または前記テンプレートの所定の文字領域に前記静止画情報とは区別して表示することを特徴とする請求項２ないし請求項４のいずれかに記載の光ディスク装置。
【請求項６】
前記通信ケーブルがＵＳＢケーブルであり、前記接続端子がＵＳＢ端子であることを特徴とする請求項２ないし請求項５のいずれかに記載の光ディスク装置。
【請求項７】
光ディスクを収納する収納ケースに装填されるディスクレーベルのテンプレートを予め記憶している記憶手段と、ユーザによる各種操作信号を入力する入力手段と、印刷実行時の各種編集画面を表示する表示手段と、通信ケーブルによってプリンタに接続する接続端子と、前記光ディスクに記録した情報を前記プリンタで印刷する制御手段とを備えた光ディスク装置のディスクレーベル印刷方法であって、
ディスクレーベル編集印刷実行時、
前記光ディスクに記録した動画情報を再生するステップと、
再生途中において、前記入力手段により一時停止操作されたときの静止画情報を、印刷対象となる静止画情報として選択するステップと、
選択された静止画情報を前記記憶手段から読み出したテンプレートに当てはめて前記表示手段に表示するステップと、
前記入力手段より印刷指示が入力されると、前記表示手段に表示されているテンプレートに当てはめた静止画像を印刷情報として前記プリンタに出力するステップと、を含むことを特徴とする光ディスク装置のディスクレーベル印刷方法。
【請求項８】
光ディスクを収納する収納ケースに装填されるディスクレーベルのテンプレートを予め記憶している記憶手段と、ユーザによる各種操作信号を入力する入力手段と、印刷実行時の各種編集画面を表示する表示手段と、通信ケーブルによってプリンタに接続する接続端子と、前記光ディスクに記録した情報を前記プリンタで印刷する制御手段とを備えた光ディスク装置のディスクレーベル印刷方法であって、
ディスクレーベル印刷実行時、
前記光ディスクに記録した動画情報を再生するステップと、
再生途中において、前記入力手段により一時停止操作されるたびに、そのときの静止画情報を、印刷対象となる静止画情報として順次選択するステップと、
印刷対象となる１または複数の静止画情報が選択されると、選択された全ての静止画情報を前記表示手段に表示するステップと、
表示された全ての静止画情報の中から前記入力手段によって任意の静止画情報が選択されると、その選択された静止画情報を前記記憶手段から読み出したテンプレートに当てはめて前記表示手段に表示するステップと、
前記入力手段より印刷指示が入力されると、前記表示手段に表示されているテンプレートに当てはめた静止画像を印刷情報として前記プリンタに出力するステップと、を含むことを特徴とする光ディスク装置のディスクレーベル印刷方法。
【請求項９】
請求項７または請求項８に記載のディスクレーベル印刷方法の各ステップをコンピュータに実行させるためのディスクレーベル印刷プログラム。
【請求項１０】
請求項９に記載のディスクレーベル印刷プログラムを格納したコンピュータ読み取り可能な記録媒体。
【発明の詳細な説明】
【技術分野】
【０００１】
本発明は、ＵＳＢケーブルによってプリンタに接続するＵＳＢ端子を有し、光ディスクに記録した情報を、接続したプリンタに出力して印刷する機能を備えた光ディスク装置、及び光ディスク装置のディスクレーベル印刷方法、ディスクレーベル印刷プログラム、並びにそのディスクレーベル印刷プログラムを記録した記録媒体に関する。
【背景技術】
【０００２】
従来から、光ディスク等のメディア内のコンテンツ管理情報（ＴＯＣ、ディレクトリ構造等）をパソコンでデータ処理することなく、通常のプリンタでも印刷できるようにして、メディアのラベル印刷に利用できるようにした再生装置が提案されている（例えば、特許文献１参照）。
【０００３】
この再生装置は、再生した管理情報を描画メモリ回路上に描画してＬＣＤ表示器に表示し、ユーザがその表示を見て再生操作が行えるようになっている。また、ユーザの所定の操作指示に応じて、描画メモリ回路上の描画データをスキャンして画像情報を生成し、静止画像ＣＯＤＥＣ回路がその画像情報を所定のファイル形成のデータに処理し、ＳＤカードに記録するようになっている。これにより、ＳＤカードをダイレクトプリント機能を有するプリンタに挿入し、ラベル形状を指定してプリントすることで、容易にＴＯＣ情報等の管理情報のインデックスラベルを作成することができる。
【特許文献１】特開２００６−１０８９２６号公報
【発明の開示】
【発明が解決しようとする課題】
【０００４】
上記特許文献１の再生装置によれば、ＴＯＣ情報等の管理情報のインデックスラベルを作成することができる。しかし、ユーザにしてみれば、このような管理情報だけでなく、光ディスクに記録されている動画情報から静止画情報を生成してインデックスラベルに印刷することができれば便利であり、より格調高いレーベルを作成することができる。
【０００５】
しかし、上記特許文献１記載の再生装置も含め、現在のところ、このような光ディスクに記録されている動画情報から静止画情報を生成してインデックスラベルに印刷することができる装置は提案されていない。
【０００６】
本発明はかかる実情に鑑みて創案されたもので、その目的は、ＵＳＢケーブルによってプリンタに接続可能なＵＳＢ端子を有する光ディスク装置において、光ディスクに記録されている動画情報から静止画情報を生成してディスクケースのレーベルを作成することのできる光ディスク装置及び光ディスク装置のディスクレーベル印刷方法、ディスクレーベル印刷プログラム、並びにそのディスクレーベル印刷プログラムを記録した記録媒体を提供することにある。
【課題を解決するための手段】
【０００７】
上記課題を解決するため、本発明の光ディスク装置は、通信ケーブルによってプリンタに接続する接続端子を有し、光ディスクに記録した情報を前記プリンタに出力して印刷する機能を備えた光ディスク装置において、前記光ディスクを収納する収納ケースに装填されるディスクレーベルのテンプレートを予め記憶している記憶手段と、ユーザによる各種操作信号を入力する入力手段と、印刷実行時の各種編集画面を表示する表示手段と、前記入力手段により前記ディスクレーベルの編集指示が入力されたとき、ディスクレーベルの編集及び印刷を実行する制御手段とを備え、前記制御手段は、ディスクレーベルの編集印刷実行時、前記入力手段により前記光ディスクに記録した動画情報から印刷対象の静止画情報が選択されると、選択された静止画情報を前記記憶手段から読み出したテンプレートに当てはめた画像を前記表示手段に表示し、前記入力手段により印刷指示が入力されると、前記表示手段に表示されているテンプレートの画像を印刷情報として前記プリンタに出力することを特徴としている。
【０００８】
すなわち、制御手段は、ディスクレーベルの編集印刷実行時、光ディスクに記録した動画情報の再生中において、入力手段の例えば一時停止ボタンが操作されると、そのときの一時停止した静止画情報を、印刷対象となる静止画情報として選択する。そして、この選択した静止画情報を、記憶手段から読み出したテンプレートに当てはめた画像を表示手段に表示する。これにより、ユーザは、作成されるディスクレーベルのイメージを視覚的に認識することができる。この後、ユーザが、入力手段により印刷指示を入力すると、制御手段は、表示手段に表示されているテンプレートの画像を印刷情報として、通信ケーブル（例えば、ＵＳＢケーブル）にて接続されているプリンタに出力する。プリンタは、光ディスク装置から送信されてきた印刷情報に基づいて用紙にディスクレーベルの印刷を行う。これにより、ユーザの所望する画像が印刷されたディスクレーベルを作成することができる。
【０００９】
また、本発明の光ディスク装置は、通信ケーブルによってプリンタに接続する接続端子を有し、光ディスクに記録した情報を前記プリンタに出力して印刷する機能を備えた光ディスク装置において、前記光ディスクを収納する収納ケースに装填されるディスクレーベルのテンプレートを予め記憶している記憶手段と、ユーザによる各種操作信号を入力する入力手段と、印刷実行時の各種編集画面を表示する表示手段と、前記入力手段により前記ディスクレーベルの編集指示が入力されたとき、ディスクレーベルの編集及び印刷を実行する制御手段と、前記光ディスクに記録した動画情報の再生時に、ユーザが前記入力手段によって所望する１または複数の箇所にマークを付与することにより、印刷対象となる１または複数の静止画情報を選択する選択手段とを備え、前記制御手段は、ディスクレーベル編集印刷実行時、前記選択手段によって印刷対象となる１または複数の静止画情報が選択されると、選択された全ての静止画情報を前記表示手段に表示し、前記入力手段によってその中から任意の静止画情報が選択されると、その選択された静止画情報を前記記憶手段から読み出したテンプレートに当てはめた画像を前記表示手段に表示し、前記入力手段によって印刷指示が入力されると、前記表示手段に表示されているテンプレートの画像を印刷情報として前記プリンタに出力することを特徴としている。
【００１０】
すなわち、選択手段は、光ディスクに記録した動画情報の再生中において、入力手段の例えば一時停止ボタンが操作されると、そのときの一時停止した静止画情報の位置にマークを付与することにより、印刷対象となる静止画情報を選択する。具体的には、そのときの静止画情報の位置（アドレス）をマークとして図示しないメモリ部に保存する。選択手段では、このような選択処理を、動画情報の再生中において、入力手段の一時停止ボタンが操作される度に行う。ただし、このようなアドレスの保存ではなく、入力手段の一時停止ボタンが操作されると、そのときの一時停止した静止画情報を直接メモリ部に保存するようにしてもよい。
【００１１】
ディスクレーベルの編集印刷実行時、制御手段は、選択手段によって選択された１または複数の静止画情報を表示手段に表示する。そして、その中から任意の静止画情報が選択されると、その選択された静止画情報を、記憶手段から読み出したテンプレートに当てはめた画像を表示手段に表示する。これにより、ユーザは、作成されるディスクレーベルのイメージを視覚的に認識することができる。この後、ユーザが、入力手段により印刷指示を入力すると、制御手段は、表示手段に表示されているテンプレートの画像を印刷情報として、通信ケーブル（例えば、ＵＳＢケーブル）にて接続されているプリンタに出力する。プリンタは、光ディスク装置から送信されてきた印刷情報に基づいて用紙にディスクレーベルの印刷を行う。これにより、ユーザの所望する画像が印刷されたディスクレーベルを作成することができる。
【００１２】
また、本発明の光ディスク装置によれば、前記テンプレートが、前記収納ケースの表面側に装填されるディスクレーベルに対応した第１のテンプレートと、前記収納ケースの裏面側に装填されるディスクレーベルに対応した第２のテンプレートとからなり、前記制御手段は、前記選択手段によって選択された全ての静止画情報と前記記憶手段から読み出した第１及び第２のテンプレートとを前記表示手段に表示し、その表示画面上で、前記入力手段により前記第１のテンプレートに当てはめる任意の静止画情報が選択されると、その選択された静止画情報を前記第１のテンプレートに当てはめた画像を表示し、前記入力手段により前記第２のテンプレートに当てはめる任意の静止画情報が選択されると、その選択された静止画情報を前記第２のテンプレートに当てはめた画像を表示し、前記入力手段により印刷指示が入力されると、前記表示手段に表示された各テンプレートに当てはめられている画像を印刷情報として前記プリンタに出力するように構成してもよい。
【００１３】
すなわち、ディスクレーベルの編集印刷実行時、制御手段は、選択手段によって選択された１または複数の静止画情報と、記憶手段から読み出した第１及び第２のテンプレートとを表示手段に表示する。そして、ユーザが、その表示画面上で、入力手段により第１のテンプレートに当てはめる任意の静止画情報を選択すると、制御手段は、その選択された静止画情報を第１のテンプレートに当てはめた画像を表示する。また、ユーザが、入力手段により第２のテンプレートに当てはめる任意の静止画情報を選択すると、制御手段は、その選択された静止画情報を第２のテンプレートに当てはめた画像を表示する。この後、ユーザが、入力手段により印刷指示を入力すると、制御手段は、表示手段に表示された各テンプレートに当てはめられている画像を印刷情報として、プリンタに出力する。プリンタは、光ディスク装置から送信されてきた印刷情報に基づいて用紙にディスクレーベルの印刷を行う。これにより、ユーザの所望する画像が印刷されたディスクレーベルを作成することができる。
【００１４】
また、本発明によれば、前記テンプレートには、前記入力手段より文字情報の入力が可能に設けられており、前記制御手段は、入力された文字情報を前記静止画情報の上の所定の位置に重ねて表示、及び／または前記テンプレートの所定の文字領域に前記静止画情報とは区別して表示する構成としてもよい。
【００１５】
また、本発明のディスクレーベル印刷方法は、光ディスクを収納する収納ケースに装填されるディスクレーベルのテンプレートを予め記憶している記憶手段と、ユーザによる各種操作信号を入力する入力手段と、印刷実行時の各種編集画面を表示する表示手段と、通信ケーブルによってプリンタに接続する接続端子と、前記光ディスクに記録した情報を前記プリンタで印刷する制御手段とを備えた光ディスク装置のディスクレーベル印刷方法であって、ディスクレーベル印刷実行時、前記光ディスクに記録した動画情報を再生するステップと、再生途中において、前記入力手段により一時停止操作されたときの静止画情報を、印刷対象となる静止画情報として選択するステップと、選択された静止画情報を前記記憶手段から読み出したテンプレートに当てはめて前記表示手段に表示するステップと、前記入力手段より印刷指示が入力されると、前記表示手段に表示されているテンプレートに当てはめた静止画像を印刷情報として前記プリンタに出力するステップと、を含むことを特徴としている。
【００１６】
また、本発明のディスクレーベル印刷方法は、光ディスクを収納する収納ケースに装填されるディスクレーベルのテンプレートを予め記憶している記憶手段と、ユーザによる各種操作信号を入力する入力手段と、印刷実行時の各種編集画面を表示する表示手段と、通信ケーブルによってプリンタに接続する接続端子と、前記光ディスクに記録した情報を前記プリンタで印刷する制御手段とを備えた光ディスク装置のディスクレーベル印刷方法であって、ディスクレーベル印刷実行時、前記光ディスクに記録した動画情報を再生するステップと、再生途中において、前記入力手段により一時停止操作されるたびに、そのときの静止画情報を、印刷対象となる静止画情報として順次選択するステップと、印刷対象となる１または複数の静止画情報が選択されると、選択された全ての静止画情報を前記表示手段に表示するステップと、表示された全ての静止画情報の中から前記入力手段によって任意の静止画情報が選択されると、その選択された静止画情報を前記記憶手段から読み出したテンプレートに当てはめて前記表示手段に表示するステップと、前記入力手段より印刷指示が入力されると、前記表示手段に表示されているテンプレートに当てはめた静止画像を印刷情報として前記プリンタに出力するステップと、を含むことを特徴としている。
【００１７】
なお、上記のようなディスクレーベル印刷方法は、その各ステップをコンピュータに実行させるためのディスクレーベル印刷プログラムによって実現することができ、このディスクレーベル印刷プログラムは、コンピュータ読み取り可能な記録媒体に記録して提供することが可能である。記録媒体の一例としては、マスクＲＯＭやフラッシュメモリといった半導体記憶素子、ハードディスク、フレキシブルディスク、ＭＯディスク、ＣＤ−ＲＯＭ、ＤＶＤ−ＲＯＭ、ＩＣカード等を挙げることができる。
【発明の効果】
【００１８】
本発明によれば、光ディスク装置を用いて映像を記録した光ディスクを保管する際に、文字だけのレーベルでなく、記録映像を印刷したレーベルを作成することができる。また、この場合に、他の機器を介することなく、光ディスク装置とプリンタとを通信ケーブルで直接接続するだけで、所望する記録映像を印刷したレーベルを簡単に作成することができる。
【発明を実施するための最良の形態】
【００１９】
以下、本発明の実施の形態について、図面を参照して説明する。
【００２０】
図１は、本発明の光ディスク装置をＤＶＤレコーダに適用した場合のシステム構成を示している。
【００２１】
図１に示すように、ＤＶＤレコーダ１は外観上、装置本体２とリモートコントロール装置（以下「リモコン」という）５１とからなる。なお、図１には説明のために外部接続された表示装置６９も図示している。表示装置６９としては、ＣＲＴ（Cathode-ray Tube）ディスプレイ、液晶パネルディスプレイ、プラズマディスプレイ等の種々のタイプの表示装置が適用可能である。また、本実施形態のＤＶＤレコーダ１は、ＵＢＳケーブル９１によってプリンタ４００に接続するＵＳＢ端子７１ａを有し、光ディスク（ＤＶＤ）２００に記録した情報をプリンタ４００に出力して印刷する機能を備えている。
【００２２】
図１に示すように、本実施形態のＤＶＤレコーダ１は、制御部１０と、ＤＶＤドライブ部（光ディスクドライブ部または記録媒体ドライブ部）２０と、ハードディスク（ＨＤＤ）部３０と、リモコン５１と、リモコン受光部５２と、装置本体２に設けられた操作スイッチ（または操作ボタン）５３と、前面パネル制御部５４と、前面パネル表示部６１と、出力信号生成部６２と、ＵＳＢインターフェイス７１と、プリンタドライバを格納したメモリ部７２と、チューナ８１と、外部入力端子８２と、スイッチ（またはセレクタ）８３と、入力信号処理部８４と、を含んで構成されている。なお、前面パネル制御部５４との区別のため、制御部１０を以下「メイン制御部１０」という。
【００２３】
メイン制御部１０は、ＣＰＵ（Central Processing Unit）１１及びメモリ１２を含んで構成される。メモリ１２は、メイン制御部１０による各種制御についてのプログラムやデータが格納されているＲＯＭ（Read Only Memory）や、ＣＰＵ１１がワークエリアとして利用するＲＡＭ（Random Access Memory）等を総称するものである。ＣＰＵ１１がメモリ１２内のプログラムを実行することによって、メイン制御部１０による各種制御が実現されている。
【００２４】
ＤＶＤドライブ部２０は、ＤＶＤ２００に対して書き込み動作（または記録動作）及び読み込み動作を実施可能に構成されており、例えば光ヘッドや当該光ヘッドのための制御回路及び機械的機構等を含んでいる。
【００２５】
ハードディスク部３０は、映像等の動画情報の大容量データを記録可能であるとともに、メイン制御部１０が補助記憶装置としても利用可能なものである。ハードディスク部３０は、一般的に「ＨＤＤ」と呼ばれる装置によって構成可能であるが、当該装置は、記録媒体としてのハードディスク３００と記録媒体ドライブ部としてのハードディスクドライブ部３１とを含んで構成される１つの装置としても流通している。ハードディスクドライブ部３１は、ハードディスク３００に対して書き込み動作（または記録動作）及び読み込み動作を実施可能に構成されており、例えば磁気ヘッドや当該磁気ヘッドのための制御回路及び機械的機構等を含んでいる。
【００２６】
ＤＶＤドライブ部２０及びハードディスク部３０は、メイン制御部１０によって動作が制御される。特に、ＤＶＤレコーダ１では、メイン制御部１０の制御の下、ＤＶＤ２００に対する記録及び読み込みを、ＤＶＤビデオフォーマットに従って実行可能に構成される。なお、メイン制御部１０の制御の下、ＤＶＤドライブ部２０及びハードディスク部３０は相互にデータ転送可能に設けられている。
【００２７】
リモコン５１及び装置本体２に設けられた操作スイッチ５３は、ユーザからの各種指示を取得するための手段である。リモコン５１からの信号は、リモコン受光部５２を介して前面パネル制御部５４へ伝達される。前面パネル制御部５４は、リモコン受光部５２及び操作スイッチ５３からの信号をその内容に応じたコマンド信号に変換してメイン制御部１０へ出力する。すなわち、リモコン５１、リモコン受光部５２、操作スイッチ５３、及び前面パネル制御部５４によって入力部５０を構成しており、ユーザがこの入力部５０を操作することによって、その操作信号がメイン制御部１０へ伝達される。
【００２８】
また、前面パネル制御部５４は、メイン制御部１０の制御下、種々の制御を行う。例えば、前面パネル制御部５４は、ＤＶＤレコーダ１の動作状況、操作や設定についてのガイドメニュー、時刻等を前面パネル表示部６１において表示するために、当該表示部６１の表示制御を行う。
【００２９】
ＵＳＢインターフェイス７１は、ＵＳＢケーブル９１が接続されるＵＳＢ端子（ＵＳＢコネクタ）７１ａを備えている。このＵＳＢインターフェイス７１を介してＤＶＤレコーダ１とプリンタ４００とが電気的に接続され、メイン制御部１０は、後述する印刷用のデータをプリンタ４００に送信する。
【００３０】
また、メモリ部７２は、本実施形態では不揮発性のメモリであるＥＥＰＲＯＭによって構成されている。このメモリ部７２には、ＤＶＤレコーダ１の製造時に、プリンタ４００を動作させるためのプログラムであるプリンタドライバ７２ａや、後述するディスクレーベルのテンプレートが予め格納されている。ただし、プリンタドライバ７２ａは、接続するプリンタ４００の種類に応じて随時インストール可能な構成としておけば、どのようなプリンタに対しても対応することが可能である。メイン制御部１０は、このプリンタドライバ７２ａに基づいて、ＤＶＤ２００に記録されているタイトル情報や後述する動画情報の中の所望する静止画情報をプリンタ４００に印刷させることが可能な印刷用のデータに変換する。プリンタ４００に送信する前の印刷用のデータは、メモリ１２内のＲＡＭに一旦格納される。
【００３１】
チューナ８１は、不図示のテレビアンテナ等から導かれた複数のテレビ放送信号の中から受信を希望するチャンネルのテレビ放送信号を選択して出力する。外部入力端子８２は他の外部装置からの信号を取り込むための端子である。チューナ８１及び外部入力端子８２からの信号はスイッチ８３に入力され、当該スイッチ８３においていずれの信号を入力信号処理部８４へ入力するかが切り換えられる。入力信号処理部８４は、スイッチ８３からの信号をメイン制御部１０において処理可能な形式の信号またはデータに変換してメイン制御部１０へ出力する。例えば、スイッチ８３からの信号をデジタル信号に変換し更にそのデジタル信号から符号化したデジタルデータを作成してメイン制御部１０へ出力する。
【００３２】
そして、メイン制御部１０は、チューナ８１、外部入力端子８２、ＤＶＤ２００、ハードディスク部３０（内のハードディスク３００）から取得したデータ等に基づいて、出力信号生成部６２を制御する。出力信号生成部６２は、メイン制御部１０の制御下、表示装置６９に適した出力信号（映像信号及び音声信号）を生成し、当該装置６９へ出力する。例えば、当該表示装置６９がアナログ方式の場合、出力信号生成部６２は、メイン制御部１０からのデジタルデータを復号化してデジタル信号を生成し、更にそのデジタル信号をアナログ信号に変換して出力信号を生成し、出力する。
【００３３】
また、出力信号生成部６２は、メイン制御部１０の制御下、上記出力信号として、上述の動作状況やガイドメニュー等を表示装置６９においてＯＳＤ（オンスクリーンディスプレイ）表示や音声出力するための信号を生成し、出力する。また、後述するディスクレーベルの印刷処理時には、レーベル作成のための各種情報（静止画情報や文字情報等）を表示装置６９においてＯＳＤ表示するための信号を生成し、出力する。
【００３４】
上記構成において、本実施形態のＤＶＤレコーダ１は、例えばリモコン５１よりディスクレーベルの編集指示が入力されると、メイン制御部１０は、ディスクレーベルの編集及び印刷処理を実行するようになっている。すなわち、ディスクレーベルの編集及び印刷処理の実行時、リモコン５１によりＤＶＤ２００に記録した動画情報から印刷対象の静止画情報が選択されると、選択された静止画情報を、メモリ部７２から読み出したテンプレート（これについては後述する）に当てはめた画像を表示装置６９に表示し、リモコン５１により印刷指示が入力されると、表示装置６９に表示されているテンプレートの画像を印刷情報として、ＵＳＢインターフェイス７１を介してプリンタ４００に送信（出力）する。
【００３５】
図２は、一般的なディスクの収納ケースの構成を示している。
【００３６】
この収納ケース１００は、ケース本体１１０と開閉可能な蓋体１２０とからなり、透明な樹脂による樹脂成型によって形成されている。ケース本体１１０には、ＤＶＤ２００を収納する凹状の収納部１１２が形成された底板部１１１が、ケース本体１１０に対して着脱可能に設けられている。また、蓋体１２０には、内面側の対向する側縁部の４箇所に、レーベルを差し込むための半月状の爪片１２１，１２１，・・・が形成されている。そして、ケース本体１１０と底板部１１１との間に、裏面側のディスクレーベルが装填可能に設けられ、蓋体１２０の内面側に、表面側のディスクレーベルが装填可能に設けられている。
【００３７】
図３は、メモリ部７２に格納されているテンプレートの例を示している。
【００３８】
この例では、テンプレートは、図２に示した収納ケース１００の蓋体１２０の内面側に装填される表面側のディスクレーベルに対応した第１のテンプレート４１と、収納ケース１００のケース本体１１０と底板部１１１との間に装填される裏面側のディスクレーベルに対応した第２のテンプレート４２とからなる。
【００３９】
すなわち、第１のテンプレート４１は、２つ折りにして蓋体１２０の内面側に装填されるようになっている。そのため、２つ折りしたとき、蓋体１２０の表側（すなわち、蓋体１２０を閉めたときに表から見える側）となる表面側テンプレート部４１１と、蓋体１２０の内面側（すなわち、蓋体１２０を閉めたときに収納されているＤＶＤ２００と対面する側）となる内面側テンプレート部４１２とからなり、それぞれのテンプレート部４１１，４１２に個別の静止画情報を当てはめることができるようになっている。また、第２のテンプレート４２は、静止画情報を当てはめる裏面側テンプレート部４２１の左右両側に、タイトル名等の文字情報を当てはめる文字用テンプレート部４２２，４２２がそれぞれ設けられている。
【００４０】
また、本実施形態では、各テンプレート部４１１，４１２，４２１は、静止画情報だけでなく文字情報も重ね合わせて当てはめることができるようになっている。ただし、文字情報につていは、予め当てはめることのできる文字領域がテンプレート部の中で複数箇所設定されている。このように、文字情報の当てはめ箇所を１箇所に固定しないのは、印刷する静止画情報によっては、文字情報の当てはめ箇所に静止画情報の重要な部分（例えば、主役の顔等）がくる場合もあるので、このような場合には別の箇所（文字領域）に文字情報を当てはめられるようにするためである。
【００４１】
次に、メモリ部７２に上記のような２種類のテンプレート４１，４２が格納されている場合の、ディスクレーベルの編集及び印刷処理方法について、図４に示すフローチャート、及び図５に示す編集画面例を参照して説明する。
【００４２】
まず、ユーザは、リモコン５１を操作し、表示装置６９にメニュー画面を表示する。そして、そのメニュー画面からレーベルの編集印刷処理モードを選択する。これにより、メイン制御部１０は、レーベルの編集印刷モードであることを認識し、編集印刷処理モードに移行する。
【００４３】
次に、ユーザは、リモコン５１を操作して、装填されているＤＶＤ２００（若しくは、ハードディスク３００）に記録されている動画情報の再生を開始する（ステップＳ１）。このとき、例えば表示画面の隅にレーベルの編集印刷モードでの動画再生であることを文字やマーク等によって表示する。これにより、ユーザは、その動画再生が単なる再生ではなく、レーベル編集印刷処理のための再生であることを認識することができる。
【００４４】
このような動画情報の再生中において、メイン制御部１０は、リモコン５１の図示しない一時停止ボタンと決定ボタンが操作されたか否かを監視する（ステップＳ２，ステップＳ３）。そして、このような再生中において、ユーザが、所望の再生箇所にくると、リモコン５１の一時停止ボタンを操作し、その後、リモコン５１の決定ボタンを操作する（ステップＳ２でＹｅｓ、ステップＳ３でＹｅｓと判断される）。これにより、メイン制御部１０は、一時停止ボタンの操作によって一時停止した静止画情報の位置にマークを付与することにより、印刷対象候補となる静止画情報を選択する（ステップＳ４）。
【００４５】
具体的には、そのときの静止画情報の位置（アドレス）をマークとしてメモリ部７２の所定の領域に保存する。メイン制御部１０は、このような静止画情報の位置のマーク処理を、動画情報の再生中において、リモコン５１の一時停止ボタンが操作される度に行う。ただし、このようなアドレスの保存ではなく、リモコン５１の一時停止ボタンが操作され、決定ボタンが操作されると、その一時停止した静止画情報自体を、印刷対象候補としてメモリ部７２に直接保存するようにしてもよい。
【００４６】
この後、ユーザがリモコン５１の図示しない停止ボタンを操作する等して（ステップＳ５でＹｅｓと判断）、動画の再生を終了すると、メイン制御部１０は、一時停止によって選択された１または複数の静止画情報をメモリ部１２に保存されているアドレス情報から生成して（若しくは、メモリ部１２に印刷対象候補として既に保存されている静止画情報を読み出して）、表示装置６９に表示する。このとき、メイン制御部１０は、メモリ部７２に格納されている第１及び第２のテンプレート４１，４２を読み出して表示装置６９に併せて表示する（ステップＳ６）。
【００４７】
図５（ａ）は、このときの表示装置６９の表示形態の一例を示している。この例では、画面上側に、印刷対象候補となる複数の静止画情報Ａ〜Ｄが表示されており、画面下側に、第１のテンプレート４１と第２のテンプレート４２とが表示されている。
【００４８】
ユーザは、この表示画面を見ながら、各テンプレート部４１１，４１２，４２１に当てはめる静止画情報を選択する（ステップＳ７）。選択手法としては、リモコン５１により画面上のカーソル（ハイライトで表示されている）を例えば第１のテンプレート４１の表面側テンプレート部４１１に移動して、リモコン５１の決定ボタンを操作する。これにより、表面側テンプレート部４１１が選択されたので、次に、カーソルを所望の静止画情報の位置（例えば、静止画情報Ａの位置）まで移動させる。そして、その位置で決定ボタンを操作する。これにより、表示装置６９には、図５（ｂ）に示す画面が表示される。すなわち、静止画情報Ａが表面側テンプレート４１１に当てはめられた状態で表示される（ステップＳ８）。
【００４９】
次に、ユーザは、この表示画面を見ながら、リモコン５１を上記と同様に操作して、内面側テンプレート部４１２に当てはめる静止画情報（例えば、静止画情報Ｃ）を選択する（ステップＳ７）。これにより、表示装置６９には、図５（ｃ）に示す画面が表示される。すなわち、静止画情報Ａが表面側テンプレート４１１に当てはめられ、静止画情報Ｃが内面側テンプレート部４１２に当てはめられた状態で表示される（ステップＳ８）。
【００５０】
次に、ユーザは、この表示画面を見ながら、リモコン５１を上記と同様に操作して、裏面側テンプレート部４２１に当てはめる静止画情報（例えば、静止画情報Ｂ）を選択する（ステップＳ７）。これにより、表示装置６９には、図５（ｄ）に示す画面が表示される。すなわち、静止画情報Ａが表面側テンプレート４１１に当てはめられ、静止画情報Ｃが内面側テンプレート部４１２に当てはめられ、静止画情報Ｂが裏面側テンプレート４２１に当てはめられた状態で表示される（ステップＳ８）。
【００５１】
次に、ユーザは、各テンプレート４１１，４１２，４２１の静止画情報の上に挿入する文字情報を選択する（ステップＳ７）。この選択手法としては、例えば、記録された動画情報には、その情報の詳細情報（例えば、タイトル名や、出演者、あらすじ等の文字情報）が含まれているので、リモコン５１の操作によってそれらの文字情報を表示装置６９の画面に表示させ、その中から上記と同様にして当てはめる文字情報を選択するようにしてもよい。これにより、各テンプレート部４１１，４１２，４２１に当てはめられた静止画情報の所定の文字領域に、選択された文字情報が重ねて表示されることになる（ステップＳ８）。
【００５２】
次に、ユーザは、第２のテンプレート部４２の文字用テンプレート部４２２に当てはめる文字情報を選択する（ステップＳ７）。この選択手法も上記と同様に行うことができる。すなわち、ユーザは、リモコン５１により画面上のカーソルを第２のテンプレート４２の一方の文字用テンプレート部４２２に移動して、リモコン５１の図示しない決定ボタンを操作する。これにより、一方の文字用テンプレート部４２２が選択されたので、次に、リモコン５１の操作によって動画情報の詳細情報（文字情報）を表示装置６９の画面に表示させる。そして、その中から例えばタイトル名を選択し、決定ボタンを操作することにより、文字用テンプレート部４２２にタイトル名が当てはめられる（ステップＳ８）。他方の文字用テンプレート部４２２にも、同様にしてタイトル名を当てはめる。ただし、当てはめる文字はタイトル名に限るものではない。
【００５３】
このように、文字情報の選択手法としては、動画情報の詳細情報から選択する手法があるが、この他にも、リモコン５１から文字を直接入力することも可能である。最近のリモコン５１には、携帯電話機と同様、各キーに日本語の５０音や英語のアルファベットが割り当てられているものがある。従って、このような文字入力機能を利用して、ユーザの所望する文字を直接入力するようにしてもよい。
【００５４】
このようにして全ての情報をテンプレート４１，４２に当てはめると、ユーザは、リモコン５１を操作して印刷の決定ボタンを操作する（ステップＳ９でＹｅｓと判断）。これは、例えばＯＳＤ表示により画面上に「印刷実行」のボタンを表示し、この印刷実行ボタンにカーソルを移動させて、リモコン５１の決定ボタンを操作するように構成することができる。または、このような画面表示ではなく、全ての情報がテンプレート４１，４２に当てはめられている状態で、単にリモコン５１の決定ボタンを操作するだけでもよい。
【００５５】
このようにして、印刷実行ボタンが操作されると、メイン制御部１０は、これを受けて、表示装置６９に表示されている各テンプレート４１，４２の画像情報を一旦メモリ部７２に保存するとともに、プリンタドライバ７２ａに基づいて印刷用のデータに変換し、この変換後のデータを印刷情報として、ＵＳＢインターフェイス７１からＵＳＢケーブル９１を経由してプリンタ４００に送信する（ステップＳ１０）。
【００５６】
プリンタ４００は、ＤＶＤレコーダ１から送信されてきた印刷情報に基づいて用紙にディスクレーベルの印刷を行う。これにより、ユーザの所望する画像が印刷されたディスクレーベルが作成される。
【図面の簡単な説明】
【００５７】
【図１】本発明の光ディスク装置をＤＶＤレコーダに適用した場合のシステム構成図である。
【図２】一般的なディスクの収納ケースの概略構成を示す斜視図である。
【図３】メモリ部に格納されているテンプレートの構成例を示す説明図である。
【図４】ディスクレーベルの編集及び印刷処理手順を説明するためのフローチャートである。
【図５】ディスクレーベルの編集及び印刷処理時に表示装置に表示される編集画面の例を示す説明図である。
【符号の説明】
【００５８】
１  ＤＶＤレコーダ
２  装置本体
１０  メイン制御部
１１  ＣＰＵ
１２  メモリ
２０  ＤＶＤドライブ部
３０  ハードディスク部
３１  ドライブ部
５０  入力部
５１  リモコン（リモートコントロール装置）
５２  リモコン受光部
５３  操作スイッチ
５４  前面パネル制御部
６１  前面パネル表示部
６９  表示装置
７１  ＵＳＢインターフェイス
７１ａ  ＵＳＢ端子
７２  メモリ部（ＥＥＰＲＯＭ）
７２ａ  プリンタドライバ
８１  チューナ
８２  外部入力端子
８３  スイッチ
８４  入力信号処理部
９１  ＵＳＢケーブル
２００  ＤＶＤ（光ディスク）
３００  ハードディスク
４００  プリンタ
【図１】
2008181606.tif 000003
【図２】
2008181606.tif 000004
【図３】
2008181606.tif 000005
【図４】
2008181606.tif 000006
【図５】
2008181606.tif 000007